(57)【特許請求の範囲】
【請求項１】
送信されてきたデータを受信し、着脱可能な記録媒体に記録するデータ受信装置であって、
前記記録媒体が、情報の読み出しのみ可能な読み出し専用領域と、情報の書き込みおよび読み出しの両方が可能な読み書き領域とを有し、
前記読み出し専用領域には、所定の処理を許可するための許可情報が記録されており、
前記データが、所定のキーとともに送信されてくるとき、
前記データおよび所定のキーを受信する受信手段と、
前記受信手段により受信された前記所定のキーと、前記読み出し専用領域に記録されている前記許可情報とが一致するかどうかを判定する判定手段と、
前記判定手段により、前記所定のキーと、前記許可情報とが一致すると判定されたときのみ、前記受信手段により受信された前記所定のキーに対応する前記データを、前記読み書き領域に記録する記録制御手段と
を備えることを特徴とするデータ受信装置。
【請求項２】
送信されてきたデータを受信し、着脱可能な記録媒体に記録するデータ受信装置のデータ受信方法であって、
前記記録媒体が、情報の読み出しのみ可能な読み出し専用領域と、情報の書き込みおよび読み出しの両方が可能な読み書き領域とを有し、
前記読み出し専用領域には、所定の処理を許可するための許可情報が記録されており、
前記データが、所定のキーとともに送信されてくるとき、
前記データおよび所定のキーを受信し、
前記所定のキーと、前記読み出し専用領域に記録されている前記許可情報とが一致するかどうかを判定し、
前記所定のキーと、前記許可情報とが一致するときのみ、前記所定のキーに対応する前記データを、前記読み書き領域に記録する
ことを特徴とするデータ受信方法。
【請求項３】
送信されてきたデータを受信して着脱可能な記録媒体に記録し、前記記録媒体の前記データを再生するデータ記録再生装置であって、
前記データと前記データに対応する所定のキーを受信する受信手段と、
前記受信手段により受信された前記所定のキーと、前記記録媒体の読み出し専用領域に記録されている許可情報とが一致するかどうかを判定する判定手段と、
前記判定手段により、前記所定のキーと前記許可情報とが一致すると判定されたとき、前記受信手段により受信された前記所定のキーに対応する前記データを、前記記録媒体の読み書き領域に記録する記録制御手段と、
入力された所定の入力キーと、前記読み出し専用領域に記録されている前記許可情報とが一致するかどうかを判定する入力判定手段と、
前記入力判定手段により、前記所定の入力キーと、前記許可情報とが一致すると判定されたときのみ、前記読み書き領域に記録されている前記データを読み出す読み出し制御手段と
を備えることを特徴とするデータ記録再生装置。
【請求項４】
送信されてきたデータを受信して着脱可能な記録媒体に記録し、前記記録媒体の前記データを再生するデータ記録再生装置のデータ記録再生方法であって、
前記データと前記データに対応する所定のキーを受信し、
前記所定のキーと、前記記録媒体の読み出し専用領域に記録されている許可情報とが一致するかどうかを判定し、
前記所定のキーと前記許可情報とが一致するときのみ、前記所定のキーに対応する前記データを、前記記録媒体の読み書き領域に記録し、
所定の入力キーが入力されたとき、その所定の入力キーと、前記読み出し専用領域に記録されている前記許可情報とが一致するかどうかを判定し、
前記所定の入力キーと、前記許可情報とが一致するときのみ、前記読み書き領域に記録されている前記データを読み出す
ことを特徴とするデータ記録再生方法。
【請求項５】
送信されてきたデータを受信し、着脱可能な記録媒体に記録するデータ受信装置であって、
前記データと、前記データの提供者を識別するための提供者識別ＩＤとを受信する受信手段と、
前記提供者識別ＩＤと前記記録媒体の読み出し専用領域に記録されている提供者識別ＩＤとが一致するかどうかを判定する判定手段と、
前記判定手段により、前記提供者ＩＤと前記読み出し専用領域に記録されている提供者識別ＩＤとが一致すると判定されたとき、前記読み出し専用領域に記録されている記録可能回数を読み出す読み出し手段と、
前記読み出し手段により読み出された前記記録可能回数に応じて、前記データを前記記録媒体の読み書き領域に記録する記録制御手段と
を備えることを特徴とするデータ受信装置。
【請求項６】
前記受信手段は、さらに、前記データを識別するためのデータ識別ＩＤを受信し、
前記記録制御手段は、前記データ識別ＩＤの変化に応じて、前記記録可能回数を更新する
ことを特徴とする請求項５に記載のデータ受信装置。
【発明の詳細な説明】
【０００１】
【産業上の利用分野】
本発明は、情報の読み出しのみ可能な読み出し専用領域と、情報の書き込みおよび読み出しの両方が可能な読み書き領域とを有する記録媒体を用いたデータ受信装置およびデータ受信方法、並びにデータ記録再生装置およびデータ記録再生方法に関する。
【０００２】
【従来の技術】
例えば、地上波によるテレビジョン放送などは、通常、スポンサがついているため、無料で視聴することができる。その一方、衛星放送やＣＡＴＶ（ＣＡｂｌｅ  ＴｅｌｅＶｉｓｉｏｎ）などの、所定の受信料を支払わなければ視聴することができない有料放送も増えつつある。このような有料放送システムでは、番組（映像および音声）にスクランブルをかけて放送し、これにより、受信料を支払わずに番組を視聴する不正受信を防止することができるようになされている。
【０００３】
即ち、スクランブルを解くためにはキーが必要であり、契約者にのみ、このキーが与えられる。但し、このキーを一定のものとすると、それが解読され、不正受信されるおそれがあるので、キーは、定期的に、あるいは不定期に変更されるようになされている。そして、キーが変更された場合、契約者には、その変更後のキーを与える必要があるので、例えばデコーダが内蔵する、キーを記憶しているモジュールを、変更後のキーを記憶したものに交換することで、キーの変更による対応がとられる。
【０００４】
【発明が解決しようとする課題】
ところで、地上波によるテレビジョン放送を利用したサービスとして、その映像信号のブランキング期間にデータを重畳して放送する文字多重放送などがあるが、最近では、これと同様にして、種々のデータを伝送する放送サービスが考えられている。このようなデータ放送のサービス形態としては、例えば文字多重放送などの行われていない時間帯にデータを伝送し、受信側で、そのデータを受信して記録媒体に記録しておくようにするものが考えられており、この場合、ユーザが所望するときに、記録媒体からデータを再生することで、その視聴を行うことができる。
【０００５】
いま、このデータ放送を有料放送として行う場合、不正受信を防止する方法としては、上述した場合と同様に、契約者にキーを記憶させたモジュールを与え、そのキーによってデータの受信を許可する方法が考えられる。そして、この場合、モジュールはキーを記憶しているものであり、また、上述した記録媒体はデータを記録しておくものであるから、これらを、１つの記録媒体で兼用できれば便利である。
【０００６】
即ち、キーを記録媒体に記録しておき、その記録媒体にデータを記録するようにすれば便利である。そこで、この記録媒体として、データの読み書きが可能な、例えばフロッピディスクやハードディスクなどの磁気ディスクを用いる方法がある。しかしながら、フロッピディスクやハードディスクでは、キーが不正に解読されるおそれがあり、セキュリティの確保が困難である。また、フロッピディスクやハードディスクなどのデータの読み書きが記録可能な記録媒体では、そこに記録されているキーを誤って消去してしまい、データの視聴が不可能になってしまうこともある。そこで、記録媒体として、例えばＣＤ−ＲＯＭを用いる方法があるが、ＣＤ−ＲＯＭには、受信したデータを書き込むことができない。
【０００７】
本発明は、このような状況に鑑みてなされたものであり、記録媒体の利便性を向上させることができるようにするものである。
【００１０】
【課題を解決するための手段】
請求項１に記載のデータ受信装置は、記録媒体が、情報の読み出しのみ可能な読み出し専用領域と、情報の書き込みおよび読み出しの両方が可能な読み書き領域とを有し、読み出し専用領域には、所定の処理を許可するための許可情報が記録されており、データが、所定のキーとともに送信されてくるとき、データおよび所定のキーを受信する受信手段と、受信手段により受信された所定のキーと、読み出し専用領域に記録されている許可情報とが一致するかどうかを判定する判定手段と、判定手段により、所定のキーと、許可情報とが一致すると判定されたときのみ、受信手段により受信された所定のキーに対応するデータを、読み書き領域に記録する記録制御手段とを備えることを特徴とする。
【００１１】
請求項２に記載のデータ受信方法は、記録媒体が、情報の読み出しのみ可能な読み出し専用領域と、情報の書き込みおよび読み出しの両方が可能な読み書き領域とを有し、読み出し専用領域には、所定の処理を許可するための許可情報が記録されており、データが、所定のキーとともに送信されてくるとき、データおよび所定のキーを受信し、所定のキーと、読み出し専用領域に記録されている許可情報とが一致するかどうかを判定し、所定のキーと、許可情報とが一致するときのみ、所定のキーに対応するデータを、読み書き領域に記録することを特徴とする。
【００１２】
請求項３に記載のデータ記録再生装置は、データとデータに対応する所定のキーを受信する受信手段と、受信手段により受信された所定のキーと、記録媒体の読み出し専用領域に記録されている許可情報とが一致するかどうかを判定する判定手段と、判定手段により、所定のキーと許可情報とが一致すると判定されたとき、受信手段により受信された所定のキーに対応するデータを、記録媒体の読み書き領域に記録する記録制御手段と、入力された所定の入力キーと、読み出し専用領域に記録されている許可情報とが一致するかどうかを判定する入力判定手段と、入力判定手段により、所定の入力キーと、許可情報とが一致すると判定されたときのみ、読み書き領域に記録されているデータを読み出す読み出し制御手段とを備えることを特徴とする。
【００１４】
請求項４に記載のデータ記録再生方法は、データとデータに対応する所定のキーを受信し、所定のキーと、記録媒体の読み出し専用領域に記録されている許可情報とが一致するかどうかを判定し、所定のキーと許可情報とが一致するときのみ、所定のキーに対応するデータを、記録媒体の読み書き領域に記録し、所定の入力キーが入力されたとき、その所定の入力キーと、読み出し専用領域に記録されている許可情報とが一致するかどうかを判定し、所定の入力キーと、許可情報とが一致するときのみ、読み書き領域に記録されているデータを読み出すことを特徴とする。
【００１９】
請求項５に記載のデータ受信装置は、データと、データの提供者を識別するための提供者識別ＩＤとを受信する受信手段と、提供者識別ＩＤと記録媒体の読み出し専用領域に記録されている提供者識別ＩＤとが一致するかどうかを判定する判定手段と、判定手段により、提供者ＩＤと読み出し専用領域に記録されている提供者識別ＩＤとが一致すると判定されたとき、読み出し専用領域に記録されている記録可能回数を読み出す読み出し手段と、読み出し手段により読み出された記録可能回数に応じて、データを記録媒体の読み書き領域に記録する記録制御手段とを備えることを特徴とする。
【００２０】
この受信手段は、さらに、データを識別するためのデータ識別ＩＤを受信することができ、この場合、記録制御手段は、データ識別ＩＤの変化に応じて、記録可能回数を更新することができる。
【００２２】
【作用】
請求項１に記載のデータ受信装置においては、受信手段は、データおよび所定のキーを受信し、判定手段は、受信手段により受信された所定のキーと、読み出し専用領域に記録されている許可情報とが一致するかどうかを判定する判定するようになされている。この場合において、記録制御手段は、判定手段により、所定のキーと、許可情報とが一致すると判定されたときのみ、受信手段により受信された所定のキーに対応するデータを、読み書き領域に記録するようになされている。
【００２３】
請求項２に記載のデータ受信方法においては、データおよび所定のキーを受信し、所定のキーと、読み出し専用領域に記録されている許可情報とが一致するかどうかを判定し、所定のキーと、許可情報とが一致するときのみ、所定のキーに対応するデータを、読み書き領域に記録するようになされている。
【００２４】
請求項３に記載のデータ記録再生装置においては、受信手段は、データとデータに対応する所定のキーを受信し、判定手段は、受信手段により受信された所定のキーと、記録媒体の読み出し専用領域に記録されている許可情報とが一致するかどうかを判定するようになされている。この場合において、記録制御手段は、判定手段により、所定のキーと許可情報とが一致すると判定されたとき、受信手段により受信された所定のキーに対応するデータを、記録媒体の読み書き領域に記録するようになされている。また、入力判定手段は、入力された所定の入力キーと、読み出し専用領域に記録されている許可情報とが一致するかどうかを判定するようになされている。この場合において、読み出し制御手段は、入力判定手段により、所定の入力キーと、許可情報とが一致すると判定されたときのみ、読み書き領域に記録されているデータを読み出すようになされている。
【００２５】
請求項４に記載のデータ記録再生方法においては、データとデータに対応する所定のキーを受信し、所定のキーと、記録媒体の読み出し専用領域に記録されている許可情報とが一致するかどうかを判定し、所定のキーと許可情報とが一致するときのみ、所定のキーに対応するデータを、記録媒体の読み書き領域に記録するようになされている。また、所定の入力キーが入力されたとき、その所定の入力キーと、読み出し専用領域に記録されている許可情報とが一致するかどうかを判定し、所定の入力キーと、許可情報とが一致するときのみ、読み書き領域に記録されているデータを読み出すようになされている。
【００３０】
請求項５に記載のデータ受信装置においては、受信手段は、データと、データの提供者を識別するための提供者識別ＩＤとを受信し、判定手段は、提供者識別ＩＤと記録媒体の読み出し専用領域に記録されている提供者識別ＩＤとが一致するかどうかを判定するようになされている。読み出し手段は、判定手段により、提供者ＩＤと読み出し専用領域に記録されている提供者識別ＩＤとが一致すると判定されたとき、読み出し専用領域に記録されている記録可能回数を読み出すようになされている。この場合において、記録制御手段は、読み出し手段により読み出された記録可能回数に応じて、データを記録媒体の読み書き領域に記録するようになされている。
【００３２】
【実施例】
以下に、本発明の実施例を説明するが、その前に、特許請求の範囲に記載の発明の各手段と以下の実施例との対応関係を明らかにするために、各手段の後の括弧内に、対応する実施例（但し、一例）を付加して、本発明の特徴を記述すると、次のようになる。
【００３３】
即ち、請求項１に記載のデータ受信装置は、送信されてきたデータを受信し、着脱可能な記録媒体に記録するデータ受信装置であって、記録媒体が、情報の読み出しのみ可能な読み出し専用領域と、情報の書き込みおよび読み出しの両方が可能な読み書き領域とを有し、読み出し専用領域には、所定の処理を許可するための許可情報が記録されており、データが、所定のキーとともに送信されてくるとき、データおよび所定のキーを受信する受信手段(例えば、図３に示すテレビチューナ７１およびデータデコーダ７３など)と、受信手段により受信された所定のキーと、読み出し専用領域に記録されている許可情報とが一致するかどうかを判定する判定手段（例えば、図３に示す比較回路７９など）と、判定手段により、所定のキーと、許可情報とが一致すると判定されたときのみ、受信手段により受信された所定のキーに対応するデータを、読み書き領域に記録する記録制御手段(例えば、図３に示すデータストレージコントローラ７４など)とを備えることを特徴とする。
【００３４】
請求項３に記載のデータ記録再生装置は、送信されてきたデータを受信して着脱可能な記録媒体に記録し、記録媒体のデータを再生するデータ記録再生装置であって、データとデータに対応する所定のキーを受信する受信手段（例えば、図６や図９に示すテレビチューナ７１およびデータデコーダ７３など）と、受信手段により受信された所定のキーと、記録媒体の読み出し専用領域に記録されている許可情報とが一致するかどうかを判定する判定手段(例えば、図６や図９に示す比較回路１７９など)と、判定手段により、所定のキーと許可情報とが一致すると判定されたとき、受信手段により受信された所定のキーに対応するデータを、記録媒体の読み書き領域に記録する記録制御手段(例えば、図６や図９に示すデータストレージコントローラ１７４など)と、入力された所定の入力キーと、読み出し専用領域に記録されている許可情報とが一致するかどうかを判定する入力判定手段（例えば、図７に示すプログラムの処理ステップＳ１５や図１０に示すプログラムの処理ステップＳ２９など）と、入力判定手段により、所定の入力キーと、許可情報とが一致すると判定されたときのみ、読み書き領域に記録されているデータを読み出す読み出し制御手段（例えば、図７に示すプログラムの処理ステップＳ１６や図１０に示すプログラムの処理ステップＳ３０など）とを備えることを特徴とする。
【００３７】
請求項５に記載のデータ受信装置は、データと、データの提供者を識別するための提供者識別ＩＤとを受信する受信手段（例えば、図１９に示すテレビチューナ７１およびデータデコーダ７３など）と、提供者識別ＩＤと記録媒体の読み出し専用領域に記録されている提供者識別ＩＤとが一致するかどうかを判定する判定手段(例えば、図１９に示す比較回路４７９など)と、判定手段により、提供者ＩＤと読み出し専用領域に記録されている提供者識別ＩＤとが一致すると判定されたとき、読み出し専用領域に記録されている記録可能回数を読み出す読み出し手段(例えば、図１９に示すデータストレージコントローラ３７４など)と、読み出し手段により読み出された記録可能回数に応じて、データを記録媒体の読み書き領域に記録する記録制御手段（例えば、図２０に示すプログラムの処理ステップＳ８８など）とを備えることを特徴とする。
【００３８】
なお、勿論この記載は、各手段を上記したものに限定することを意味するものではない。
【００３９】
図１は、本発明を適用した放送システムの第１実施例の構成を示している。放送局では、例えば地上波によるテレビジョン放送とともに、文字多重放送と同様にして、データの放送が行われるようになされている。即ち、放送局においては、ミキサ１には、テレビジョン放送として放送すべき番組の映像信号が入力される。さらに、ミキサ１には、映像信号の他、その映像信号のブランキング期間（例えば、垂直ブランキング期間）に重畳して放送すべきデータも入力される。
【００４０】
ここで、このデータ（以下、適宜、提供データという）は、情報提供者（ＩＰ（Ｉｎｆｏｒｍａｔｉｏｎ  Ｐｒｖｉｄｅｒ）から提供されるものである。情報提供者は、提供データが登録されているデータベース２１と、それを管理するホストコンピュータ２２とを有しており、ホストコンピュータ２２は、データベース２１から、提供データを、適宜読み出し、例えば公衆網などを介して、放送局のミキサ１に送信するようになされている。なお、ホストコンピュータ２２は、提供データの他、その提供データの受信を許可する許可情報としての、例えばキーも、ミキサ１に送信するようになされている。
【００４１】
ミキサ１では、提供データおよびキーが、映像信号のブランキング期間に重畳される。即ち、ミキサ１では、提供データおよびキーが、例えば文字多重放送における場合と同様に、映像信号の垂直ブランキング期間の第１６Ｈ（ライン）と第２１Ｈ（但し、これは、奇数フィールドについてであり、偶数フィールドについては、第２７９Ｈおよび第２８４Ｈ）に重畳される。なお、ここでは、提供データは、例えば表示可能なデータ（画像データあるいはキャラクタデータなど）とする。但し、提供データは、これに限定されるものではなく、この他、例えば音声出力可能なデータ（音声データ）や、コンピュータなどで取扱い可能データ（コンピュータプログラムを含む）などであっても良い。
【００４２】
提供データおよびキーが重畳された映像信号は、変調器２に出力される。変調器２には、映像信号の他、その映像信号に付随する音声（番組の音声）が供給される。変調器２では、映像信号と音声信号とが多重化（周波数多重化）され、さらに変調される。その結果得られる変調信号は、送信機３に供給され、そこで増幅処理などの必要な処理が施された後、テレビジョン放送信号として、アンテナ４から送信される。
【００４３】
このテレビジョン放送信号は、ユーザ側のアンテナ１１で受信され、その受信信号（テレビジョン放送信号）は、受信装置１２に供給される。
【００４４】
提供データの視聴を希望するユーザは、情報提供者から、許可情報としてのキーが記録されている記録媒体１４（その詳細については後述する）を購入する。この記録媒体１４は、受信装置１２のスロット（図示せず）に対し、着脱可能になされており、記録媒体１４を購入したユーザは、これを受信装置１２にセット（装着）する。
【００４５】
受信装置１２では、アンテナ１１より供給された受信信号が復調され、その復調信号（映像信号）から、ブランキング期間に含まれる提供データおよびキーが取り出される（抽出される）。さらに、受信装置１２では、記録媒体１４に記録されているキーが読み出され、このキーと、受信したキーとが比較される。そして、両者が一致したときのみ、提供データが、記録媒体１４に記録される。
【００４６】
以上のように、提供データを、記録媒体１４に記録しておくようにしたので、ユーザは、所望するときに、記録媒体１４から提供データを再生させて、例えばテレビジョン受像機などでなるモニタ１３に表示させ、視聴することができる。
【００４７】
さらに、記録媒体１４に記録されたキーと、受信したキーとが一致したときのみ、提供データを記録媒体１４に記録するようにしたので、不正受信を防止することができる。
【００４８】
なお、上述の場合（後述する実施例についても同様）、提供データを、記録媒体１４に記録する前に、モニタ１３に出力するようにした場合には、提供データが視聴されてしまう可能性があるので、不正受信を強固に防止するには、提供データに、キーを用いてスクランブルをかけて送信するようにし、ユーザ側では、そのキーを用いてデスクランブルをするようにすれば良い。
【００４９】
また、放送局側では、提供データを、通常の文字多重放送などが行われていない時間（例えば、午前２時乃至午前６時など）に送信するようにし、受信装置１２では、これを受信して記録媒体１４に記録するようにするのが好ましい。
【００５０】
次に、記録媒体１４について説明する。記録媒体１４は、例えばディスク状の記録媒体（例えば、データの記録再生用のＭＤ（商標）（ＭＤデータ（Ｍｉｎｉ  Ｄｉｓｃ  ｄａｔａ）（商標））など）や、テープ状の記録媒体、あるいはカード形状その他の記録媒体で、例えば図２に示すように、情報の読み出しのみ可能な読み出し専用領域（以下、適宜、ＲＯＭ領域という）と、情報の書き込みおよび読み出しの両方が可能な読み書き領域（以下、適宜、ＲＡＭ領域という）とを有している。
【００５１】
例えば、いま、記録媒体１４がＭＤデータであるとすると、ＲＯＭ領域には、光学的に情報の記録がなされており、ＲＡＭ領域には、光磁気的に情報の記録がなされる。
【００５２】
記録媒体１４のＲＯＭ領域には、上述したように、許可情報としてのキーが記録されている。さらに、本実施例では、ＲＯＭ領域には、記録媒体１４の有効期限なども記録されている。図１の情報提供者側では、ＲＯＭ領域に記録された有効期限ごとに、提供データとともに放送局に送信するキーを変更するようになされており、従って、有効期限後も提供データの受信を希望するユーザは、情報提供者から、変更後のキーが記録された、新たな記録媒体を購入する必要がある。
【００５３】
なお、許可情報は、提供データの受信を可能とするための鍵と考えれば、上述のようにキーと呼ぶことができるが、提供データの受信を可能とするための合い言葉と考えれば、許可情報は、パスワードまたは暗証番号、あるいは情報提供者のオリジナルの専用ビュウア（Ｖｉｅｗｅｒ）と呼ぶことができる。
【００５４】
一方、記録媒体１４のＲＡＭ領域には、受信装置１２で受信された提供データが記録される。
【００５５】
以上のように、記録媒体１４には、キーが記録されており、さらに提供データを記録することができるので、その利便性を向上させることができる。また、キー（本実施例においては、有効期限についても同様）は、ＲＯＭ領域に記録されているので、キーが誤って消去されてしまうことを防止することができる。さらに、記録媒体１４をＭＤデータとした場合には、前述したハードディスクなどと比較して、その持ち運びおよび受信装置１２へのセットが容易であり、また、受信装置１２以外のＭＤデータの再生が可能な装置で、提供データを視聴することも可能となる。
【００５６】
次に、図３は、図１の受信装置１２の構成例を表している。なお、受信装置１２（後述する受信装置についても同様）は、リモートコマンダ（以下、適宜、リモコンという）１５により遠隔制御することができるようになされている。
【００５７】
アンテナ１１で受信されたテレビジョン放送信号は、テレビチューナ７１に供給される。テレビチューナ７１には、テレビジョン放送信号の他、制御回路７８から復調すべきチャンネルを指令する制御信号も供給されており、テレビチューナ７１では、アンテナ１１から受信したテレビジョン放送信号のうち、制御回路７８からの制御信号に対応したチャンネルのものが復調される。そして、その結果得られる復調信号は、テレビ表示回路７２およびデータデコーダ７３に出力される。
【００５８】
テレビ表示回路７２は、テレビチューナ７１からの復調信号から映像信号を取り出し、それをモニタ１３に表示させるために必要な処理を施し、モニタ１３に出力する。これにより、モニタ１３では、所定のチャンネルの番組（映像）が表示される。なお、復調信号からは、所定の処理回路（図示せず）において、番組に付随する音声も取り出され、スピーカ（図示せず）から出力される。
【００５９】
一方、データデコーダ７３は、通常の文字多重放送用のデコーダと同様に、データスライサその他のブロックで構成され、そこでは、復調信号のうちの映像信号（垂直ブランキング期間）に重畳されている提供データおよびキーが抽出されてデコードされる。この提供データまたはキー（以下、適宜、受信キーという）は、データストレージコントローラ７４または比較回路７９にそれぞれ出力される。比較回路７９は、受信キーを受信すると、データストレージコントローラ７４を制御し、記録媒体１４のＲＯＭ領域に記録されているキー（以下、適宜、記録キーという）を読み出させる。さらに、比較回路７９は、受信キーと記録キーとを比較し、両者が一致するかどうかを判定する。そして、比較回路７９は、受信キーと記録キーとが一致する場合、データストレージコントローラ７４に、提供データの、記録媒体１４への書き込みを指示する信号（以下、適宜、書き込み指示信号という）を出力する。
【００６０】
データストレージコントローラ７４は、比較回路７９から書き込み指示信号を受信すると、データデコーダ７３から出力された提供データを、記録媒体１４のＲＡＭ領域に記録する。
【００６１】
一方、データストレージコントローラ７４は、比較回路７９から書き込み指示信号を受信することができなかった場合、データデコーダ７３から出力された提供データを、記録媒体１４に記録せずに破棄する。
【００６２】
従って、受信キーと記録キーとが一致する場合のみ、提供データは記録媒体１４に記録される。即ち、記録キーにより、提供データの、記録媒体１４への記録が許可され、その記録が行われる。
【００６３】
以上のようにして、記録媒体１４に提供データが記録された後、リモコン１５が提供データを表示するように操作（以下、適宜、表示操作という）されると、その操作に対応するＲＦ信号が、リモコン１５から電波として放射される。このＲＦ信号は、アンテナ７６で受信され、受信回路７７に供給される。受信回路７７では、アンテナ７６からのＲＦ信号が復調され、その結果得られる復調信号が、制御回路７８に出力される。制御回路７８は、受信回路７７からの復調信号が、表示操作に対応するものである場合、データストレージコントローラ７４を、記録媒体１４から提供データを読み出すように制御する。これにより、データストレージコントローラ７４は、記録媒体１４から提供データを読み出し、データ表示回路７５に出力する。
【００６４】
データ表示回路７５は、例えばメモリを内蔵しており、そのメモリに、提供データをビットマップとして展開し、モニタ１３に出力する。これにより、モニタ１３では、提供データが表示される。なお、モニタ１３に、番組の映像が表示されている場合には、提供データは、その映像に代えて表示することができる他、その映像にスーパインポーズして表示したり、あるいは、いわゆるピクチャインピクチャ用の子画面などに表示したりすることなどが可能である。
【００６５】
また、ユーザは、提供データが記録された記録媒体１４を、受信装置１２から取り外し、記録媒体１４の再生が可能な再生装置（記録媒体１４が、例えばＭＤデータであれば、その再生が可能なＭＤ再生装置）にセットすることによっても、提供データを視聴することができる。
【００６６】
次に、図４を参照して、受信装置１２の、提供データの受信時の動作について、さらに説明する。まず最初に、ステップＳ１において、アンテナ１１からのテレビジョン放送信号が、テレビチューナ７１で受信され、所定のチャンネルのものが復調される。その結果得られた復調信号は、データデコーダ７３に出力され、ステップＳ２においてデコードされる。そして、ステップＳ３において、データデコーダ７３では、そのデコード結果から、受信キーが抽出され、比較回路７９に出力される。なお、このとき、デコード結果からは、キーの他、提供データも抽出され、データストレージコントローラ７４に出力される。
【００６７】
その後、ステップＳ４において、データストレージコントローラ７４によって、記録媒体１４から記録キーが読み出されて、比較回路７９に出力され、ステップＳ５に進み、受信キーと記録キーとが一致するか否かが、比較回路７９によって判定される。ステップＳ５において、受信キーと記録キーとが一致すると判定された場合、ステップＳ６に進み、データストレージコントローラ７４によって、提供データが記録媒体１４に記録される。また、ステップＳ５において、受信キーと記録キーとが一致しないと判定された場合、ステップＳ６をスキップして、処理を終了する。
【００６８】
なお、本明細書中において、受信キーと記録キーとが一致する場合とは、両者が物理的に一致する場合の他、受信キーと記録キーとが対応している場合（例えば、両者が、割符のような関係にある場合など）も含むものとする。
【００６９】
また、記録媒体１４のＲＯＭ領域には、記録キーを１つだけでなく、複数記録するようにすることが可能である。この場合、提供データを、その内容ごとに異なる受信キーとともに送信するようにすることで、細かなサービスの提供が可能となる。即ち、いま、２種類の提供データＡまたはＢを、それぞれ受信キーａまたはｂとともに送信するとした場合、例えば提供データＡだけの受信を希望するユーザは、受信キーａに対応する記録キーが記録された記録媒体１４を購入すれば良く、また、提供データＡおよびＢの両方の受信を希望するユーザは、受信キーａまたはｂそれぞれに対応する記録キーが記録された記録媒体１４を購入すれば良い。この場合、記録媒体１４の価格に差を設けることで、ユーザは、自身が所望する提供データだけを、それに見合った価格で視聴することができる。
【００７０】
さらに、提供データＡまたはＢが、それぞれ大人向けまたは子供向けのものであった場合、親は、受信キーｂに対応する記録媒体１４を購入し、子供に渡しておくことにより、子供が、大人向けの提供データ（特に、子供の視聴を制限したいもの）Ａを視聴することを防止することができる。この場合、親が、大人向けの提供データＡを視聴するには、別に、受信キーａに対応する記録媒体１４を購入すれば良い。
【００７１】
また、ユーザは、所望する提供データを受信するのに必要な記録キーが記録された記録媒体１４を購入することで、オリジナルライブラリを、容易に作ることができる。即ち、例えば、料理のレシピや、飲食店に関する提供データを受信するのに必要な記録キーが記録された記録媒体１４を購入することで、「料理レシピ集」や「おいしくて安いお店集」などと題したライブラリを作ることができる。あるいは、また、例えばサッカーのＪリーグやＣＤのプロモーションに関する提供データを受信するのに必要な記録キーが記録された記録媒体１４を購入することで、「Ｊリーグデータ」や「最新のＣＤのプロモーション集」などと題したライブラリを作ることができる。
【００７２】
さらに、提供データが、いわゆるハイパーテキストであれば、記録媒体１４に記録した提供データは、コンピュータで利用することが可能となる。この場合、上述のようにして作成したライブラリの検索、ソート、編集などを容易に行うことが可能となる。また、この場合、ライブラリに、いわゆるインターネットなどのネットワークなどで提供されているデータを取り込むことも可能となる。
【００７３】
さらに、提供データは、テレビジョン放送信号（映像信号）に重畳されて送信されるので、例えば商品に関する提供データを送信することで、その商品の広告をダイレクトメールなどで郵送する場合に比較して、多くのユーザに対し、容易に商品の紹介をすることができる。また、提供データは、記録媒体１４に記録されるので、例えば商品に関する提供データを記録することで、いわば電子カタログを作成することができる。そして、この場合、テレビジョン放送によるコマーシャルなどと比較して、より詳細な商品の紹介を行うことが可能となる。
【００７４】
次に、図５は、本発明を提供した放送システムの第２実施例の構成を示している。なお、図中、図１における場合と対応する部分については、同一の符号を付してある。即ち、この放送システムは、情報提供者からは、放送局に対し、キー（受信キー）が送信されずに、提供データだけが送信され、また受信装置１２に代えて、受信装置１１２が設けられている他は、図１の放送システムと同様に構成されている。
【００７５】
この実施例では、受信装置１１２において、上述した受信装置１２における場合と同様にして、映像信号から提供データ抽出される。そして、受信装置１１２によれば、このようにして得られた提供データがすべて記録媒体１４に記録される。なお、記録媒体１４は、図１における場合と同様に、情報提供者から購入する。
【００７６】
ユーザは、記録媒体１４に記録された提供データの視聴を希望する場合、情報提供者に対し、所定の受信料を支払うことで、そのＲＯＭ領域に記録されている記録キー（本実施例では、以下、記録パスワードという）を教えてもらい、それを、受信装置１１２に入力する。受信装置１１２では、入力されたパスワード（以下、適宜、入力パスワードという）と、記録媒体１４のＲＯＭ領域に記録されている記録パスワードとが比較され、両者が一致したときのみ、記録媒体１４から、提供データが読み出される。読み出された提供データは、モニタ１３に出力されて表示され、これによりユーザは、提供データを視聴することができる。
【００７７】
図６は、図５の受信装置１１２の構成例を示している。なお、図中、図３における場合と対応する部分については、同一の符号を付してあり、以下では、その説明は、適宜省略する。
【００７８】
この受信装置１１２においては、データデコーダ７３から出力された提供データがデータストレージコントローラ１７４に出力され、記録媒体１４のＲＡＭ領域に記録される。記録媒体１４に提供データが記録された後、リモコン１５が表示操作されると、制御回路１７８において、図３の制御回路７８における場合と同様にして、データストレージコントローラ１７４が制御され、これにより記録媒体１４から提供データが読み出されて、データ表示回路７５を介してモニタ１３に出力されて表示される。
【００７９】
このとき、比較回路１７９は、データストレージコントローラ１７４による、記録媒体１４からの提供データの読み出しを監視しており、データストレージコントローラ１７４が記録媒体１４から所定の提供データを読み出すと、その読み出しを停止させる。
【００８０】
従って、ユーザから見れば、一部の提供データの表示がなされた後、その後の表示が停止される。
【００８１】
ユーザは、記録媒体１４のＲＡＭ領域に記録された残りの提供データの視聴を希望する場合、情報提供者に対し、所定の受信料を支払うことで、記録媒体１４に対応する入力パスワードを教えてもらう。そして、その入力パスワードを、リモコン１５を操作することで入力する。この入力パスワードは、アンテナ７６および受信回路７７を介して、制御回路１７８で受信される。制御回路１７８は、入力パスワードを受信すると、それを比較回路１７９に入力する。比較回路１７９は、入力パスワードが入力されると、データストレージコントローラ１７４を制御し、これにより記録媒体１４から、そのＲＯＭ領域に記録されている記録パスワードを読み出させる。さらに、比較回路１７９は、入力パスワードと記録パスワードとが一致しているか否かを判定する。そして、比較回路１７９は、両者が一致している場合、データストレージコントローラ１７４に、記録媒体１４のＲＡＭ領域に記録されている残りの提供データを読み出させる。
【００８２】
これにより、ユーザは、記録媒体１４のＲＡＭ領域に記録された提供データすべてを視聴することができる。
【００８３】
従って、ユーザは、提供データの一部を視聴した後、その提供データの続きの視聴を希望する場合だけ、受信料を支払えば良いので、視聴を希望しない提供データに対する、いわば無駄な受信料を支払わずに済むようになる。また、情報提供者からすれば、多くのユーザに対し、容易に課金を行うことが可能となる。
【００８４】
なお、比較回路１７９において、入力パスワードと記録パスワードとが一致すると判定された場合、その入力パスワードは、データストレージコントローラ１７４に出力され、記録媒体１４のＲＡＭ領域に記録される。受信装置１１２にセットされた記録媒体１４のＲＡＭ領域に入力パスワードが記録されている場合、データストレージコントローラ１７４は、記録パスワードだけでなく、入力パスワードも読み出して、比較回路１７９に供給するようになされており、比較回路１７９では、その入力パスワードと記録パスワードとが比較されるようになされている。この場合、その入力パスワードと記録パスワードとは、必ず一致するから、ユーザは、正規に入手した入力パスワードを一度入力した後は、記録媒体１４のＲＡＭ領域に記録された提供データを、自由に視聴することが可能となる。
【００８５】
次に、図７のフローチャートを参照して、受信装置１１２の処理について、さらに説明する。ユーザは、記録媒体１４を購入し、上述したようにして、受信装置１１２によって、その記録媒体１４に提供データを記録した後、その一部を視聴することによって、残りの提供データを視聴するかどうかを決定する。ユーザが、残りの提供データの視聴を希望しない場合、特に処理は行われない。
【００８６】
一方、ユーザは、残りの提供データの視聴を希望する場合、ステップＳ１１において、例えば郵便振込や現金書留によって、あるいは所定の販売店の店頭などで、情報提供者に対する受信料を支払う。その後、ステップＳ１２において、ユーザは、例えば郵便や電話などによって、あるいは販売店の店員から、入力パスワードの告知を受ける。そして、ステップＳ１３において、記録媒体１４を受信装置１１２にセットし、ステップＳ１４に進み、入力パスワードを入力する。
【００８７】
入力パスワードの入力があると、受信装置１１２では、ステップＳ１５において、入力パスワードと、記録媒体１４のＲＯＭ領域に記録されている記録パスワードとが一致するかどうかが、比較回路１７９によって判定される。ステップＳ１５において、入力パスワードと記録パスワードが一致しないと判定された場合、即ち、例えば入力パスワードの入力を誤った場合、ステップＳ１４に戻り、入力パスワードの入力をやり直す。
【００８８】
一方、ステップＳ１５において、入力パスワードと記録パスワードとが一致すると判定された場合、ステップＳ１６に進み、記録媒体１４に記録された残りの提供データが読み出され、ステップＳ１７に進む。ステップＳ１７では、記録媒体１４から読み出された提供データがモニタ１３に表示され、処理を終了する。
【００８９】
なお、図６の受信装置１１２は、テレビチューナ７１、テレビ表示回路７２、およびデータデコーダ７３を取り除いて構成することで、記録媒体１４の再生装置として構成することも可能である。
【００９０】
次に、図８は、本発明を適用した放送システムの第３実施例の構成を示している。なお、図中、図５における場合と対応する部分については、同一の符号を付してある。即ち、この放送システムは、受信装置１１２に代えて、受信装置２１２が設けられており、その受信装置２１２と情報提供者のホストコンピュータ２２とが、公衆網３０を介して接続されている他は、図５の放送システムと同様に構成されている。
【００９１】
この実施例では、受信装置２１２において、上述した受信装置１１２における場合と同様にして、提供データが記録媒体１４に記録される。
【００９２】
ユーザは、記録媒体１４に記録された提供データの視聴を希望する場合、情報提供者のホストコンピュータ２２に対し、公衆回線３０を介して入力パスワードを要求する。ホストコンピュータ２２は、この要求を受信すると、ユーザが、受信料の支払が可能かどうか、図示せぬクレジット会社のコンピュータに問い合わせを行い、受信料の支払が可能であれば、入力パスワードを、公衆網３０を介して、受信装置２１２に送信する。受信装置１１２では、入力パスワードを受信すると、この入力パスワードと、記録媒体１４のＲＯＭ領域に記録されている記録パスワードとが比較され、両者が一致したときのみ、記録媒体１４から、提供データが読み出される。読み出された提供データは、モニタ１３に出力されて表示され、これによりユーザは、提供データを視聴することができる。
【００９３】
図９は、図８の受信装置２１２の構成例を示している。なお、図中、図６における場合と対応する部分については、同一の符号を付してあり、以下では、その説明は、適宜省略する。
【００９４】
この受信装置２１２においては、提供データが記録媒体１４のＲＡＭ領域に記録された後、リモコン１５が表示操作されると、やはり図６における場合と同様にして、記録媒体１４から、一部の提供データが読み出され、モニタ１３に表示された時点で、提供データの表示が停止される。
【００９５】
ユーザは、記録媒体１４のＲＡＭ領域に記録された残りの提供データの視聴を希望する場合、リモコン１５を操作することで、情報提供者に対し、入力パスワードを要求する（以下、このようなリモコン１５の操作を、適宜、要求操作という）。この要求操作に対応する信号（以下、適宜、要求操作信号という）は、アンテナ７６および受信回路７７を介して、制御回路１７８で受信され、制御回路１７８は、要求操作信号を受信すると、回線Ｉ／Ｆ８０を制御し、公衆網３０を介して、情報提供者のホストコンピュータ２２との通信リンクを確立させる。回線Ｉ／Ｆ８０は、ホストコンピュータ２２との通信リンクを確立させた後、ホストコンピュータ２２に対し、入力パスワードを要求する。
【００９６】
ホストコンピュータ２２は、この要求を受信すると、ユーザが、受信料の支払が可能かどうか、クレジット会社のコンピュータに問い合わせを行い、問題がなければ（滞納などがなく、受信料の支払が可能であれば）、記録媒体１４に対応する入力パスワード（記録媒体１４のＲＯＭ領域に記録されている記録パスワードと同一の入力パスワード）を、公衆網３０を介して、受信装置２１２（回線Ｉ／Ｆ８０）に送信する。受信装置１１２では、この入力パスワードが、回線Ｉ／Ｆ８０によって受信され、回線Ｉ／Ｆ８０は、入力パスワードを受信すると、回線を切断し、入力パスワードを制御回路１７８に出力する。制御回路１７８は、入力パスワードを受信すると、それを比較回路１７９に入力する。以下、図６における場合と同様にして、記録媒体１４のＲＡＭ領域に記録されている残りの提供データがモニタ１３に表示される。
【００９７】
なお、この場合も、図６における場合と同様に、入力パスワードは、記録媒体１４のＲＡＭ領域に記録され、これにより、その後は、記録媒体１４のＲＡＭ領域に記録された提供データを、自由に視聴することが可能となる。
【００９８】
以上のように、本実施例によれば、入力パスワードが、情報提供者（ホストコンピュータ２２）から送信されてくるので、その入力ミスを防止することができる。但し、入力パスワードは、公衆網３０を介して送信されてくるので、その伝送中に伝送誤りが生じることがあり、この場合、入力パスワードは一致しなくなり、従って、提供データの読み出しは行われない。このため、このような場合は、再度、入力パスワードを要求する必要がある。
【００９９】
次に、図１０のフローチャートを参照して、受信装置２１２の処理について、さらに説明する。ユーザは、情報提供者から記録媒体１４を購入し、ステップＳ２１において、この記録媒体１４を受信装置２１２にセットする。そして、その記録媒体１４に提供データを記録した後、その一部を視聴することによって、残りの提供データを視聴するかどうか、即ち入力パスワードを要求（請求）するかどうかを、ステップＳ２２において決定する。ステップＳ２２において、残りの提供データを視聴しないとした場合、処理を終了する。
【０１００】
一方、ステップＳ２２において、残りの提供データを視聴するとした場合、ユーザは、リモコン１５を要求操作することで、情報提供者に対し、入力パスワードを要求する。リモコン１５が要求操作されると、ステップＳ２３において、上述したように、公衆網３０を介して、情報提供者のホストコンピュータ２２との通信リンクが、回線Ｉ／Ｆ８０によって確立される。さらに、ステップＳ２３では、回線Ｉ／Ｆ８０によって、ホストコンピュータ２２に対し、入力パスワードが要求される。
【０１０１】
ホストコンピュータ２２は、入力パスワードの要求を受信すると、ステップＳ２４において、例えばクレジットによる受信料の支払に関する調査を行うため、ユーザが所有するクレジットカードについての情報（例えば、ユーザの氏名や、クレジットカードのナンバ、暗証番号など）（以下、適宜、クレジットカード情報という）を、公衆網３０を介して、回線Ｉ／Ｆ８０に要求する。回線Ｉ／Ｆ８０は、クレジットカード情報の要求を受信すると、これを、制御回路１７８に出力する。すると、制御回路１７８は、データストレージコントローラ１７４を介して、データ表示回路７５を制御し、これにより、モニタ１３に、クレジットカード情報の入力を促すメッセージを表示させる。
【０１０２】
ユーザは、モニタ１３の表示を見て、クレジットカード情報を、リモコン１５を操作することで入力する。このクレジットカード情報は、アンテナ７６および受信回路７７を介して、制御回路７８で受信され、制御回路７８は、クレジットカード情報を受信すると、これを回線Ｉ／Ｆ８０に出力する。回線Ｉ／Ｆ８０は、制御回路７８からのクレジットカード情報を、公衆網３０を介して、情報提供者のホストコンピュータ２２に送信する。
【０１０３】
ホストコンピュータ２２は、回線Ｉ／Ｆ８０から送信されてきたクレジットカード情報を受信し、このクレジットカード情報に基づいて、クレジット会社のコンピュータに問い合わせを行う。そして、ホストコンピュータ２２は、クレジット会社のコンピュータからの返答を待って、ステップＳ２５において、その返答に基づいて、ユーザに問題があるかどうかを判断する。そして、ユーザに問題がある場合は、処理を終了し、また、ユーザに問題がない場合は、ステップＳ２６に進み、ホストコンピュータ２２から回線Ｉ／Ｆ８０に対し、記録媒体１４に対応する入力パスワードが送信される。
【０１０４】
回線Ｉ／Ｆ８０では、ホストコンピュータ２２から送信されてきた入力パスワードが、ステップＳ２７において受信され、ステップＳ２８に進み、回線が切断される。回線Ｉ／Ｆ８０で受信された入力パスワードは、制御回路１７８を介して、比較回路１７９に入力される。
【０１０５】
比較回路１７９では、ステップＳ２９において、入力パスワードと、記録媒体１４のＲＯＭ領域に記録されている記録パスワードとが一致するかどうかが判定される。ステップＳ２９において、入力パスワードと記録パスワードが一致しないと判定された場合、処理を終了する。
【０１０６】
また、ステップＳ２９において、入力パスワードと記録パスワードとが一致すると判定された場合、ステップＳ３０に進み、記録媒体１４に記録された残りの提供データが読み出され、ステップＳ３１に進む。ステップＳ３１では、記録媒体１４から読み出された提供データがモニタ１３に表示され、処理を終了する。
【０１０７】
次に、図１１は、本発明を適用した放送システムの第４実施例の構成を示している。なお、図中、図８における場合と対応する部分については、同一の符号を付してある。
【０１０８】
この放送システムにおいては、情報提供者は、例えば商品の販売店も兼ねており、提供データとして、商品に関する情報（商品情報）（例えば、商品の外観を撮影した写真のデータや、その値段、サイズなど）を、放送局に送信する。放送局では、この提供データが、上述したように、テレビジョン放送信号（映像信号）に重畳されて送信される。
【０１０９】
このテレビジョン放送信号は、ユーザ側のアンテナ１１で受信され、その受信信号（テレビジョン放送信号）は、受信装置３１２に供給される。受信装置３１２では、アンテナ１１より供給された受信信号が復調され、その復調信号（映像信号）から、提供データが抽出される。この提供データは、モニタ１３に出力されて表示される。
【０１１０】
ユーザは、モニタ１３の表示を見て、商品の購入を希望する場合、まず、クレジット会社に連絡し、クレジット契約を結ぶ。クレジット会社では、ユーザからクレジット契約の申込があると、所定の審査を行い、そのユーザに問題がなければ、クレジットカードとして（クレジットカードの代わりとなる）記録媒体１４を、ユーザに発送する。なお、この記録媒体１４のＲＯＭ領域には、図２で説明したキー（本実施例では、以下、適宜、暗証番号という）および有効期限の他、記録媒体１４がクレジットカードの代わりとなることから、ユーザに関する情報（例えば、ユーザの氏名など）や、クレジットカードのナンバに対応する情報なども記録されている。
【０１１１】
ユーザは、記録媒体１４を受け取った後、あるいは受け取るのと同時に、その記録媒体１４に記録されている暗証番号を、クレジット会社から教えてもらう。そして、ユーザは、モニタ１３に表示された商品の購入を希望する場合には、記録媒体１４を、受信装置３１２にセットする。さらに、ユーザは、クレジット会社から教えてもらった暗証番号（以下、適宜、入力暗証番号という）を、受信装置３１２に入力する。受信装置３１２では、入力暗証番号の入力があると、記録媒体１４に記録されている暗証番号（以下、適宜、記録暗証番号という）が読み出され、両者が比較される。そして、受信装置３１２は、入力暗証番号と記録暗証番号とが一致する場合、公衆網３０を介して、商品を購入する旨（以下、適宜、商品購入要求という）を、情報提供者のホストコンピュータ２２に送信する。
【０１１２】
ホストコンピュータ２２において、商品購入要求が受信されると、その旨がデータベース２１に登録される。情報提供者は、データベース２１の登録状況を参照して、商品をユーザに発送するとともに、クレジット会社に、その代金の支払を請求する。クレジット会社は、情報提供者に対し、代金を支払うとともに、ユーザに対し、その代金の請求書を送る。その後、ユーザの、例えば銀行口座などから代金の引き落としが行われる。即ち、クレジット会社に対し、商品の代金が支払われる。
【０１１３】
なお、入力暗証番号と記録暗証番号とが一致しない場合には、ホストコンピュータ２２において、商品購入要求は受け付けられないようになされている。
【０１１４】
以上のように、記録媒体１４のＲＯＭ領域に記録されている記録暗証番号と、受信装置３１２に入力される入力暗証番号とが一致する場合のみ、商品購入要求処理がなされるので、例えば子供などが、誤って、商品を購入してしまうことを防止することができる。
【０１１５】
次に、図１２は、図１１の受信装置３１２の構成例を示している。なお、図中、図９における場合と対応する部分については、同一の符号を付してある。
【０１１６】
アンテナ１１で受信されたテレビジョン放送信号は、テレビチューナ７１に供給される。テレビチューナ７１では、上述したようにして、テレビジョン放送信号のうち、所定のチャンネルのものが復調され、その結果得られる復調信号が、テレビ表示回路７２およびデータデコーダ７３に出力される。
【０１１７】
テレビ表示回路７２は、テレビチューナ７１からの復調信号から映像信号を取り出し、それをモニタ１３に表示させるために必要な処理を施し、モニタ１３に出力する。これにより、モニタ１３では、所定のチャンネルの番組（映像）が表示される。
【０１１８】
一方、データデコーダ７３では、復調信号のうちの映像信号（垂直ブランキング期間）に重畳されている提供データ抽出されてデコードされる。この提供データは、データストレージコントローラ２７４を介して、データ表示回路７５に出力され、これにより、上述した場合と同様にして、提供データが、モニタ１３に表示される。
【０１１９】
なお、モニタ１３に、番組の映像または提供データのうちのいずれを表示するかは、リモコン１５を操作することによって制御することができるようになされている。
【０１２０】
モニタ１３に提供データが表示されている場合において、ユーザは、その提供データに対応する商品の購入を希望するとき、リモコン１５を、その商品を指定するように操作する（このような操作を、以下、適宜、購入操作という）。この購入操作に対応する信号（以下、適宜、購入操作信号という）は、アンテナ７６および受信回路７７を介して、制御回路２７８で受信される。制御回路２７８は、購入操作信号を受信すると、回線Ｉ／Ｆ８０を制御し、これにより、公衆網３０を介して、情報提供者のホストコンピュータ２２との通信リンクを確立させる。そして、回線Ｉ／Ｆ８０は、ホストコンピュータ２２に対し、商品購入要求を、公衆網３０を介して送信する。
【０１２１】
ホストコンピュータ２２は、商品購入要求を受信すると、その要求が正しいものかどうかを確認するためのメッセージ（このメッセージには、商品名なども含まれる）（以下、適宜、確認メッセージという）を、公衆網３０を介して回線Ｉ／Ｆ８０に送信する。回線Ｉ／Ｆ８０は、この確認メッセージを受信すると、制御回路２７８およびデータストレージコントローラ２７４を介して、データ表示回路７５に出力する。これにより、モニタ１３には、確認メッセージが表示される。
【０１２２】
ユーザは、確認メッセージを見て、そこに含まれる商品名などが、購入を希望した商品に対応するものであることを確認した後、リモコン１５を操作することで、入力暗証番号を入力する。この入力暗証番号は、アンテナ７６および受信回路７７を介して、制御回路２７８で受信される。制御回路２７８は、入力暗証番号を受信すると、これを比較回路３７９に入力する。比較回路３７９は、入力暗証番号を受信すると、データストレージコントローラ２７４を制御し、これにより、記録媒体１４のＲＯＭ領域に記録されている記録暗証番号を読み出させる。そして、比較回路３７９は、入力暗証番号と記録暗証番号とを比較し、両者が一致する場合のみ、制御回路２７８に制御信号を出力する。
【０１２３】
制御回路３７９は、比較回路３７９より制御信号を受信すると、回線Ｉ／Ｆ８０に、商品購入要求を、再度送信させる。
【０１２４】
なお、制御回路３７９は、比較回路３７９より制御信号を受信することができなかった場合には、回線Ｉ／Ｆ８０に回線を切断させ、処理を中止する。
【０１２５】
ホストコンピュータ２２は、回線Ｉ／Ｆ８０から再度の商品購入要求を受信すると、その旨をデータベース２１に登録する。これにより、上述したように、情報提供者からユーザに商品が配送される。さらに、ホストコンピュータ２２は、商品購入要求の、データベース２１への登録後、その商品購入要求に対応する商品（ユーザが購入した商品）の価格その他の情報でなる明細（以下、適宜、購入明細という）を、公衆網３０を介して回線Ｉ／Ｆ８０に送信する。回線Ｉ／Ｆ８０は、購入明細を受信し、その後、回線を切断する。さらに、回線Ｉ／Ｆ８０は、受信した購入明細を制御回路２７８に出力する。制御回路２７８は、回線Ｉ／Ｆ８０からの購入明細を、データストレージコントローラ２７４に出力し、記録媒体１４に記録させる。即ち、これにより、記録媒体１４のＲＡＭ領域には、購入明細が記録される。
【０１２６】
ユーザは、購入明細の確認を希望する場合、リモコン１５をそのように操作する（このような操作を、以下、適宜、確認操作という）。この確認操作に対応する信号（以下、適宜、確認操作信号という）は、アンテナ７６および受信回路７７を介して、制御回路２７８で受信され、制御回路２７８は、確認操作信号を受信すると、データストレージコントローラ２７４に、記録媒体１４のＲＡＭ領域に記録された購入明細を読み出させる。記録媒体１４から読み出された購入明細は、データストレージコントローラ２７４からデータ表示回路７５に出力され、これによりモニタ１３に表示される。
【０１２７】
以上のように、購入明細が、記録媒体１４のＲＡＭ領域に記録されるので、ユーザは、この記録媒体１４を、上述したようにクレジットカードとして使用することができる他、いわば簡易的な家計簿として使用することもできる。さらに、この場合、ユーザは、購入明細を容易に確認することができる。従って、記録媒体１４は、クレジットカードとして使用することができるだけでなく、家計簿として使用することもできるので、その利便性を向上させることができる。
【０１２８】
次に、図１３のフローチャートを参照して、受信装置３１２の動作について、さらに説明する。まず、ステップＳ４１において、ユーザは、クレジット会社に対し、クレジット契約を申し込む。すると、クレジット会社では、ステップＳ４２において、ユーザに対する審査がなされ、問題がなければ、ステップＳ４３において、ユーザに対し、クレジットカードとしての記録媒体１４が発行される。なお、本実施例では、記録媒体を、例えばＭＤデータとする。また、このＭＤデータは、クレジットカードとして機能するので、以下、適宜、ＭＤカードという。
【０１２９】
ユーザは、ＭＤカード１４を受け取った後、受信装置３１２を動作状態する。これにより、ステップＳ４４では、上述したようにして、モニタ１３に、テレビジョン放送の番組（映像）または商品に関する提供データが表示される。
【０１３０】
ユーザは、商品に関する提供データを視聴している場合、ステップＳ４５において、購入を希望する商品があるかどうかを判断する。そして、購入を希望する商品がない場合はステップＳ４４に戻り、また、購入を希望する商品がある場合は、ステップＳ４６において、リモコン１５を購入操作する。
【０１３１】
リモコン１５が購入操作されることにより出力される購入操作信号は、制御回路２７８で受信され、制御回路２７８は、購入操作信号を受信すると、回線Ｉ／Ｆ８０を制御し、これにより、ステップＳ４７において、公衆網３０を介して、情報提供者のホストコンピュータ２２との通信リンクが確立される。
【０１３２】
その後、上述したように、ホストコンピュータ２２からは、確認メッセージが送信され、これがモニタ１３に表示される。ユーザは、このモニタ１３の表示を見ならが、ステップＳ４８において、商品を購入するかどうかを確認する。
【０１３３】
ユーザが商品を購入しないとした場合、処理は中止される。また、ユーザは、商品を購入するとした場合、ステップＳ４９において、ＭＤカード１４を受信装置３１２のスロットに挿入（セット）し、さらに、ステップＳ５０において、入力暗証番号を、リモコン１５を操作することで入力する。
【０１３４】
リモコン１５を操作することで入力された入力暗証番号は、アンテナ７６、受信回路７７、および制御回路２７８を介して、比較回路３７９に供給される。比較回路３７９では、ステップＳ５１において、入力暗証番号と、ＭＤカード１４のＲＯＭ領域に記録されている記録暗証番号とが照合され、これにより両者が一致しているかどうかが判定される。ステップＳ５１において、入力暗証番号と記録暗証番号とが一致していないと判定された場合、処理を終了する。また、ステップＳ５１において、入力暗証番号と記録暗証番号とが一致すると判定された場合、比較回路３７９から制御回路２７８に対し、制御信号が出力される。
【０１３５】
制御回路２７９は、比較回路３７９より制御信号を受信すると、回線Ｉ／Ｆ８０に、商品購入要求を、再度送信させる。そして、回線Ｉ／Ｆ８０は、その後、上述したようにして公衆網３０を介してホストコンピュータ２２から送信されてくる購入明細を受信し、制御回路２７８を介して、データストレージコントローラ２７４に出力する。これにより、ステップＳ５２において、その購入明細（購入ログ）が、ＭＤカード１４のＲＡＭ領域に記録される。以上の処理の終了後、回線Ｉ／Ｆ８０は、ステップＳ５３において、回線を切断する。
【０１３６】
その後、ステップＳ５４において、情報提供者からユーザに対し、商品が配送され、さらに、その後、ステップＳ５５において、クレジット会社によって、ユーザの口座から、購入した商品の代金が引き落とされて、処理を終了する。
【０１３７】
次に、図１４は、本発明を適用したパソコン通信システムの一実施例の構成を示している。センタ局は、ホストコンピュータ３１を有している。このホストコンピュータ３１は、公衆網３０と接続されており、所定のパソコン通信ネットワークのホストコンピュータとして動作するようになされている。さらに、ホストコンピュータ３１は、有料で提供される種々のデータ（このデータも、以下、適宜、提供データという）を記憶している。
【０１３８】
ユーザは、ホストコンピュータ３１が記憶している提供データの入手を希望する場合、まず、クレジット会社に連絡し、クレジット契約を結ぶ。クレジット会社では、ユーザからクレジット契約の申込があると、所定の審査を行い、そのユーザに問題がなければ、クレジットカードとして（クレジットカードの代わりとなる）記録媒体１４を、ユーザに発送する。なお、本実施例においても、記録媒体１４のＲＯＭ領域には、図２で説明したキー（本実施例でも、放送システムの第４実施例における場合と同様に、以下、適宜、暗証番号という）および有効期限の他、記録媒体１４がクレジットカードの代わりとなることから、ユーザに関する情報や、クレジットカードのナンバに対応する情報なども記録されている。
【０１３９】
ユーザは、記録媒体１４を受け取った後、あるいは受け取るのと同時に、その記録媒体１４に記録されている暗証番号（記録暗証番号）を、クレジット会社から教えてもらう。そして、ユーザは、端末３２を操作することで、パソコン通信ネットワーク（ホストコンピュータ３１）にアクセスし、その間との通信リンクを確立させる。そして、ユーザは、記録媒体１４を、端末３２にセットし、さらに、クレジット会社から教えてもらった暗証番号（入力暗証番号）を、端末３２に入力する。なお、端末３２には、記録媒体１４を着脱することができるようになされている。
【０１４０】
端末３２では、入力暗証番号の入力があると、記録媒体１４に記録されている記録暗証番号が読み出され、両者が比較される。そして、端末３２は、入力暗証番号と記録暗証番号とが一致する場合、公衆網３０を介して、提供データの送信を要求する旨（以下、適宜、送信要求という）を、センタ局のホストコンピュータ３１に送信する。
【０１４１】
ホストコンピュータ３１は、送信要求を受信すると、自身が記憶している提供データを、公衆網３０を介して、端末３２に送信する。端末３２では、ホストコンピュータ３１からの提供データがダウンロードされ、それが終了すると、回線が切断される。
【０１４２】
提供データのダウンロード後は、ユーザは、その提供データに対し、自由にアクセスすることができる。
【０１４３】
一方、センタ局では、ユーザに提供した提供データに対する代金の支払を、クレジット会社に請求する。クレジット会社は、センタ局に対し、代金を支払うとともに、ユーザに対し、その代金の請求書を送る。その後、ユーザの、例えば銀行口座などから代金の引き落としが行われる。即ち、これにより、クレジット会社に対し、提供データに対する代金が支払われる。
【０１４４】
なお、入力暗証番号と記録暗証番号とが一致しない場合には、端末３２から送信要求が、ホストコンピュータ３１に対して送信されないようになされている。
【０１４５】
以上のように、記録媒体１４のＲＯＭ領域に記録されている記録暗証番号と、端末３２に入力される入力暗証番号とが一致する場合のみ、送信要求処理がなされるので、例えば他人が、自己の名義で、不正に、提供データを入手することを防止することができる。
【０１４６】
図１５は、図１４の端末の詳細構成例を示している。モデム４１は、ＣＰＵ４２に代わって、外部（本実施例では、ホストコンピュータ３１）との通信を制御するようになされている。ＣＰＵ４２は、ＲＯＭ（Ｒｅａｄ  Ｏｎｌｙ  Ｍｅｍｏｒｙ）４３に記録されているシステムプログラムやアプリケーションプログラムにしたがって、所定の情報処理を行うようになされている。ＲＯＭ４３は、システムプログラムおよび必要なアプリケーションプログラムを記憶している。ＲＡＭ（Ｒａｎｄｏｍ  Ａｃｃｅｓｓ  Ｍｅｍｏｒｙ）４４は、ＣＰＵ４２の動作上必要なデータやその他のデータを記憶するようになされている。入力装置４５は、例えばキーボートやポインティングデバイス（例えば、マウスなど）でなり、ＣＰＵ４２に対し、コマンドや必要なデータを入力するときに操作される。出力装置４６は、例えばモニタやスピーカでなり、ＣＰＵ４２より供給されるデータを、表示または音声出力するようになされている。ドライブ装置４７は、そこに記録媒体１４を着脱することができるようになされており、ＣＰＵ４２の制御の下、記録媒体１４に対するデータの読み書きを行うようになされている。なお、端末３２を構成する各ブロックは、バスを介して相互に接続されている。
【０１４７】
以上のように構成される端末３２において、ユーザは、提供データの入手を希望するとき、入力装置４５を、ホストコンピュータ３１にアクセスするように操作する。この操作に対応する信号（以下、適宜、アクセス要求操作信号という）は、ＣＰＵ４２で受信され、ＣＰＵ４２は、アクセス要求操作信号を受信すると、モデム４１を制御し、これにより、公衆網３０を介して、ホストコンピュータ３１との通信リンクを確立させる。
【０１４８】
ユーザは、その後、さらに入力装置４５を操作することで、入手を希望する提供データを指定し（この指定された提供データに関する情報を、以下、適宜、指定情報という）、さらに入力暗証番号を入力する。この指定情報および入力暗証番号は、ＣＰＵ４２に供給され、ＣＰＵ４２は、指定情報および入力暗証番号を受信すると、ドライブ装置４７を制御し、記録媒体１４のＲＯＭ領域に記録されている記録暗証番号を読み出させる。さらに、ＣＰＵ４２は、入力暗証番号と記録暗証番号とを比較し、両者が一致する場合には、モデム４１を制御することで、指定情報を、送信要求とともに、公衆回線３０を介して、ホストコンピュータ３１に送信させる。
【０１４９】
ホストコンピュータ３１は、指定情報および送信要求を受信すると、自身が記憶している提供データのうち、指定情報に対応するものを、公衆網３０を介して、端末３２に送信する。端末３２では、ホストコンピュータ３１からの提供データがダウンロードされる。即ち、ホストコンピュータ３１からの提供データは、モデム４１で受信され、ＲＡＭ４４に供給されて記憶される。
【０１５０】
ホストコンピュータ３１は、提供データの送信終了後、その提供データに対する代金その他の情報でなる明細（以下、適宜、代金明細という）を、公衆網３０を介してモデム４１に送信する。モデム４１は、代金明細を受信し、その受信が終了すると、回線を切断する。さらに、モデム４１は、受信した代金明細をドライブ装置４７に出力し、これにより、その代金明細を、記録媒体１４のＲＡＭ領域に記録させる。
【０１５１】
その後、ユーザは、入力装置４５を操作することで、ＲＡＭ４４に記憶された提供データを読み出し、出力装置４６から出力させる。そして、その提供データを保存しておきたい場合は、入力装置４５を操作することで、ＣＰＵ４２に、提供データの保存を指令する。すると、ＣＰＵ４２では、ＲＡＭ４４に記憶された提供データが読み出され、ドライブ装置４７に供給される。ドライブ装置４７では、供給された提供データが、記録媒体１４のＲＡＭ領域に記録される。
【０１５２】
提供データを記録媒体１４に記録させた後は、ユーザは、所望するときに、そこから提供データを読み出し、出力装置４６で出力させることができる。
【０１５３】
次に、図１６のフローチャートを参照して、端末３２の動作について、さらに説明する。まず、ステップＳ６１乃至Ｓ６３において、図１３のステップＳ４１乃至Ｓ４３における場合とそれぞれ同様にして、ユーザは、クレジット会社から、クレジットカードとしての記録媒体１４を発行してもらう。なお、本実施例でも、上述した放送システムについての第４実施例における場合と同様に、記録媒体１４を、以下、適宜、ＭＤカード１４という。
【０１５４】
ユーザは、ＭＤカード１４を受け取った後、入力装置４５を、パソコン通信ネットワークにアクセスするように操作する。これにより、ステップＳ６４において、センタ局のホストコンピュータ３１との通信リンクが、モデム４１によって確立される。その後、ユーザは、ステップＳ６５において、入力装置４５を操作することによって、入手を希望する提供データを指定する。これにより、入力装置４５からＣＰＵ４２に対し、指定情報が出力される。
【０１５５】
そして、ユーザは、ステップＳ６６において、ＭＤカード１４をドライブ装置４７にセットし、さらに、入力装置４５を操作することで、入力暗証番号を入力する。この入力暗証番号は、ＣＰＵ４２に出力される。
【０１５６】
ＣＰＵ４２では、ステップＳ６８において、入力暗証番号と、ＭＤデータ１４のＲＯＭ領域に記録されている記録暗証番号とが照合され、これにより両者が一致しているかどうかが判定される。ステップＳ６８において、入力暗証番号と記録暗証番号とが一致していないと判定された場合、処理を終了する。また、ステップＳ６８において、入力暗証番号と記録暗証番号とが一致すると判定された場合、ＣＰＵ４２は、モデム４１に、送信要求と指定情報とを、公衆網３０を介して、ホストコンピュータ３１に送信させる。
【０１５７】
その後、モデム４１は、上述したようにして公衆網３０を介してホストコンピュータ３１から送信されてくる提供データおよび代金明細を受信する。代金明細書（購入ログ）は、ドライブ装置４７に供給され、ステップＳ６９において、ＭＤカード１４のＲＡＭ領域に記録される。
【０１５８】
そして、ステップＳ７０において、提供データがダウンロードされる。即ち、ステップＳ７０では、モデムで受信された提供データが、ＲＡＭ４４に供給されて記憶される。ダウンロードの終了後、ユーザは、提供データを出力するように、入力装置４５を操作する。この操作に対応する操作信号は、ＣＰＵ４２で受信され、この場合、ＣＰＵ４２は、ＲＡＭ４４に記憶された提供データを読み出し、出力装置４６に供給して出力させる。
【０１５９】
ユーザは、出力装置４６から出力された提供データを参照し、ステップＳ７１において、希望した提供データが正確にダウンロードされたか否かを確認する。そして、ユーザが希望した提供データが正確にダウンロードされていない場合、ステップＳ７０に戻り、再び、提供データのダウンロードがやり直される。また、ユーザが希望した提供データが正確にダウンロードされている場合、ステップＳ７２に進み、モデム４１によって回線が切断される。
【０１６０】
その後は、ステップＳ７３において、クレジット会社によって、ユーザの口座から、提供データに対する代金が引き落とされて、処理を終了する。
【０１６１】
次に、図１７は、本発明を適用した放送システムの第５実施例の構成を示している。なお、図中、図１における場合と対応する部分については、同一の符号を付してある。即ち、この放送システムは、情報提供者からは、キー（受信キー）に代えて、データ識別ＩＤおよびＩＰ識別ＩＤが放送局に送信され、また受信装置１２に代えて、受信装置４１２が設けられている他は、図１の放送システムと同様に構成されている。
【０１６２】
ここで、データ識別ＩＤとは、提供データを識別するためのもので、異なる提供データごとに、異なるデータ識別ＩＤが対応付けられている。また、ＩＰ識別ＩＤとは、情報提供者を識別するためのもので、図１７には、１つの情報提供者しか示していないが、その他の情報提供者も存在し、これらの情報提供者それぞれには、ユニークなＩＰ識別ＩＤが割り当てられている。
【０１６３】
放送局から送信されるテレビジョン放送信号は、ユーザ側のアンテナ１１で受信され、受信装置４１２に供給される。提供データの視聴を希望するユーザは、やはり情報提供者が販売する記録媒体１１４を購入する。
【０１６４】
ここで、本実施例における記録媒体１１４は、プリペイドカードとして使用することができるようになされている。即ち、記録媒体１１４は、記録媒体１４と同様に、例えばＭＤデータなどで構成され、やはりＲＯＭ領域およびＲＡＭ領域を有している。そして、記録媒体１１４のＲＯＭ領域には、図１８に示すように、そのＲＡＭ領域に記録可能な提供データを提供する情報提供者のＩＰ識別ＩＤと、この記録媒体１１４に提供データを記録することのできる最大の回数（以下、適宜、使用可能回数という）が記録されている。さらに、記録媒体１１４のＲＡＭ領域には、この記録媒体１１４に提供データを記録することのできる残りの回数（以下、適宜、残使用可能回数）が記録されている。なお、記録媒体１１４が未使用の場合、使用可能回数と残使用可能回数とは一致する。
【０１６５】
図１７に戻り、記録媒体１１４を購入したユーザは、これを受信装置４１２にセット（装着）することで、情報提供者からの提供データを、そのＲＡＭ領域に記録することが可能となる。
【０１６６】
即ち、受信装置４１２では、アンテナ１１より供給された受信信号が復調され、その復調信号（映像信号）から、ブランキング期間に含まれる提供データ、データ識別ＩＤ、およびＩＰ識別ＩＤが抽出される。さらに、受信装置４１２では、記録媒体１１４に記録されているＩＰ識別ＩＤ（以下、適宜、記録ＩＰ識別ＩＤという）が読み出され、これと、受信したＩＰ識別ＩＤ（以下、適宜、受信ＩＰ識別ＩＤという）とが比較される。そして、両者が一致した場合、受信装置４１２では、記録媒体１１４に記録されている残使用可能回数が読み出され、それが０未満でないときのみ、提供データが、記録媒体１１４のＲＡＭ領域に記録される。従って、ユーザは、情報提供者からの提供データを、記録媒体１１４に記録されている使用可能回数に対応する回数まで、記録媒体１１４に記録することができる。
【０１６７】
提供データが記録媒体１１４に記録された後は、ユーザは、記録媒体１１４から提供データを読み出し、モニタ１３に表示させることで、その視聴を行うことができる。
【０１６８】
一方、記録ＩＰ識別ＩＤと受信ＩＰ識別ＩＤとが一致しない場合、提供データは、記録媒体１１４に記録されない。従って、提供データの不正受信を防止することができる。なお、この場合、ユーザは、その提供データの受信を希望するときには、受信ＩＰ識別ＩＤが割り当てられている情報提供者から、その情報提供者専用の（その情報提供者に割り当てられているＩＰ識別ＩＤが記録されている）記録媒体を購入する必要がある。
【０１６９】
また、記録ＩＰ識別ＩＤと受信ＩＰ識別ＩＤとが一致した場合であっても、残使用可能回数が０未満であるときは、やはり、提供データは、記録媒体１１４に記録されない。従って、この場合、ユーザは、さらに提供データの受信を希望するときには、情報提供者から、新たに記録媒体１１４を購入する必要がある。
【０１７０】
以上のように、記録媒体１１４に提供データを記録することのできる回数が決まっているので、それを超えた回数の提供データの受信、即ち、不正受信を防止することができ、さらに、適正な受信料の徴収が可能となる。また、提供データは、記録媒体１１４をあらかじめ購入しなければ受信することができないので、確実な課金を行うことができる。
【０１７１】
次に、図１９は、図１７の受信装置４１２の構成例を示している。なお、図中、図３における場合と対応する部分については、同一の符号を付してあり、以下では、その説明は、適宜、省略する。
【０１７２】
データデコーダ７３では、映像信号に重畳されている提供データ、データ識別ＩＤ、および受信ＩＰ識別ＩＤが抽出され、提供データはデータストレージコントローラ３７４に、データ識別ＩＤおよび受信ＩＰ識別ＩＤは比較回路４７９に、それぞれ供給される。比較回路４７９は、データ識別ＩＤおよび受信ＩＰ識別ＩＤを受信すると、データストレージコントローラ３７４を制御し、これにより記録媒体１１４から使用可能回数、記録ＩＰ識別ＩＤ、および残使用可能回数を読み出させる。
【０１７３】
そして、比較回路４７９は、使用可能回数と残使用可能回数とを比較し、残使用可能回数が、使用可能回数より大きいかどうかを判定する。残使用可能回数が、使用可能回数より大きい場合、比較回路４７９は、データストレージコントローラ３７４を制御し、これにより、提供データを記録媒体１１４に記録させない。
【０１７４】
即ち、残使用可能回数は、記録媒体１１４のＲＡＭ領域に記録されているから、大きな値に改竄されるおそれがある。そこで、残使用可能回数が、使用可能回数より大きい場合には、残使用可能回数が改竄されたものとして、比較回路４７９は、提供データの記録を行わせない。
【０１７５】
また、残使用可能回数が、使用可能回数より大きくない場合、比較回路４７９は、記録ＩＰ識別ＩＤと受信ＩＰ識別ＩＤとを比較する。そして、両者が一致しない場合、やはり、比較回路４７９は、データストレージコントローラ３７４を制御して、提供データを記録媒体１１４に記録させない。
【０１７６】
一方、記録ＩＰ識別ＩＤと受信ＩＰ識別ＩＤとが一致する場合、比較回路４７９は、残使用可能回数が０未満であるかどうかを判定する。残使用可能回数が０未満である場合、比較回路４７９は、データストレージコントローラ３７４を制御し、やはり、提供データを記録媒体１１４に記録させない。
【０１７７】
また、残使用可能回数が０未満でない場合、比較回路４７９は、データストレージコントローラ３７４に、提供データを記録媒体１１４のＲＡＭ領域に記録させる。
【０１７８】
その後、比較回路４７９は、データデコーダ７３から供給されるデータ識別ＩＤを監視し、それが変わったかどうかを検出する。データ識別ＩＤが変わった場合、それは、いままでと異なる提供データが受信されていることを意味するから、比較回路４７９は、残使用可能回数を１だけデクリメントするとともに、その値を記録媒体１１４に記録するように、データストレージコントローラ３７４を制御する。これにより、記録媒体１１４には、１だけデクリメントされた残使用可能回数が書き込まれる。
【０１７９】
従って、記録媒体１１４には、記録ＩＰ識別ＩＤが割り当てられた情報提供者が提供する提供データを、使用可能回数に相当する数だけ記録することができる。
【０１８０】
以上のようにして、提供データが記録媒体１１４に記録された後は、ユーザは、図３における場合と同様にして、提供データを視聴することができる。
【０１８１】
次に、図２０のフローチャートを参照して、受信装置４１２の動作について、さらに説明する。ユーザは、ある情報提供者Ａが提供する提供データの受信を希望する場合、ステップＳ８１において、その情報提供者Ａ専用の記録媒体１１４を購入する。ここで、情報提供者Ａが提供する提供データの受信料が、１回あたり、例えば１０００円に設定されているとした場合、情報提供者Ａは、提供データを、例えば１０回だけ受信することのできる記録媒体１１４を、１０００円×１０回に、通常の記録媒体１１４の値段を加算した金額で販売する。ユーザは、記録媒体１１４を、そのような値段で購入する。なお、この場合、このような記録媒体１１４によれば、情報提供者Ａが提供する提供データを、１０回だけ受信することができる。
【０１８２】
ユーザは、記録媒体１１４を購入後、ステップＳ８２において、それを受信装置１１４にセットする。すると、ステップＳ８３において、記録媒体１１４に記録されている使用可能回数（本実施例においては、１０）と残使用可能回数とが、比較回路４７９によって比較される。そして、ステップＳ８３において、残使用可能回数が、使用可能回数以下でないと判定された場合、処理を終了する。また、ステップＳ８３において、残使用可能回数が、使用可能回数以下であると判定された場合、ステップＳ８４に進み、アンテナ１１からの受信信号が、テレビチューナ７１で受信され、さらにデータデコーダ７３において、テレビチューナ７１の出力から提供データ、データ識別ＩＤ、および受信ＩＰ識別ＩＤが抽出される。そして、提供データは、データストレージコントローラ３７４に出力され、またデータ識別ＩＤおよび受信ＩＰ識別ＩＤは、比較回路４７９に出力される。
【０１８３】
その後、ステップＳ８５に進み、受信ＩＰ識別ＩＤと、記録媒体１１４に記録されている記録ＩＰ識別ＩＤが一致するかどうかが、比較回路４７９によって判定される。ステップＳ８５において、受信ＩＰ識別ＩＤと記録ＩＰ識別ＩＤとが一致しないと判定された場合、処理を終了する。また、ステップＳ８５において、受信ＩＰ識別ＩＤと記録ＩＰ識別ＩＤとが一致すると判定された場合、ステップＳ８６に進み、残使用可能回数が０以上であるか否かが、比較回路４７９によって判定される。ステップＳ８６において、残使用可能回数が０以上であると判定された場合、ステップＳ８７に進み、比較回路４７９によって、データデコーダ７３から供給されているデータ識別ＩＤが記憶される。
【０１８４】
そして、ステップＳ８８に進み、データストレージコントローラ３７４によって、データデコーダ７３から供給されている提供データが、記録媒体１１４のＲＡＭ領域に記録され、ステップＳ８９に進む。ステップＳ８９では、ステップＳ８７で記憶されたデータ識別ＩＤと、いまデータデコーダ７３から出力されているデータ識別ＩＤとが一致するか否かが、比較回路４７９によって判定される。ステップＳ８９において、ステップＳ８７で記憶されたデータ識別ＩＤと、いまデータデコーダ７３から出力されているデータ識別ＩＤとが一致すると判定された場合、ステップＳ９０をスキップして、ステップＳ８４に戻る。また、ステップＳ８９において、ステップＳ８７で記憶されたデータ識別ＩＤと、いまデータデコーダ７３から出力されているデータ識別ＩＤとが一致しないと判定された場合、ステップＳ９０に進み、残使用可能回数が１だけデクリメントされ、さらに、その値が、記録媒体１１４に記録されて、ステップＳ８４に戻る。
【０１８５】
一方、ステップＳ８６において、残使用可能回数が０以上でないと判定された場合、即ち、情報提供者Ａが提供する提供データを１０回だけ受信した場合、処理を終了する。
【０１８６】
なお、残使用可能回数が０以上でなくなった記録媒体１１４は、有料で提供される提供データの記録には用いることはできないが、無料で提供される提供データの記録には用いることができる。即ち、情報提供者は、有料で提供する提供データについては、自身に割り当てられたＩＰ識別ＩＤを付加して、放送局に送信するようになされており、受信装置４１２では、ＩＰ識別ＩＤが付加された提供データは、そのＩＰ識別ＩＤと同一のＩＤが記録されている記録媒体１１４にのみ記録されるようになされている。従って、この場合、記録媒体１１４には、そのＩＰ識別ＩＤと、０以上の残使用可能回数とが記録されている必要がある。
【０１８７】
一方、情報提供者は、無料で提供する提供データについては、ＩＰ識別ＩＤを付加せずに、放送局に送信するようになされており、受信装置４１２では、ＩＰ識別ＩＤが付加されていない提供データは、無条件で、記録媒体１１４に記録するようになされている。従って、この場合、記録媒体１１４には、ＩＰ識別ＩＤや残使用可能回数が記録されている必要はない。よって、残使用可能回数が０以上でなくなった記録媒体１１４であっても、そこには、無料で提供される提供データは、無条件に記録される。
【０１８８】
なお、以上の放送システムの実施例においては、提供データを、地上波のテレビジョン放送信号に重畳して伝送するようにしたが、提供データは、この他、例えば衛星や、ＣＡＴＶ網、その他のネットワークを利用したテレビジョン放送信号などに重畳して伝送することも可能であるし、また、それ自体、単独で伝送することも可能である。
【０１９０】
【発明の効果】
請求項１に記載のデータ受信装置および請求項２に記載のデータ受信方法によれば、データおよび所定のキーが受信され、その所定のキーと、読み出し専用領域に記録されている許可情報とが一致するかどうかが判定される。そして、所定のキーと、許可情報とが一致すると判定されたときのみ、その所定のキーに対応するデータが、読み書き領域に記録される。従って、データが不正に記録されることを防止することができる。
【０１９１】
請求項３に記載のデータ記録再生装置および請求項４に記載のデータ記録再生方法によれば、データとデータに対応する所定のキーが受信され、その所定のキーと、記録媒体の読み出し専用領域に記録されている許可情報とが一致するかどうかが判定される。そして、所定のキーと許可情報とが一致すると判定されたとき、その所定のキーに対応するデータが、記録媒体の読み書き領域に記録される。また、入力された所定の入力キーと、読み出し専用領域に記録されている許可情報とが一致するかどうかが判定され、所定の入力キーと、許可情報とが一致すると判定されたときのみ、読み書き領域に記録されているデータが読み出される。従って、データが不正に記録されることを防止し、さらにデータの不正な読み出しを防止することができる。
【０１９５】
請求項５に記載のデータ受信装置によれば、提供者識別ＩＤと記録媒体の読み出し専用領域に記録されている提供者識別ＩＤとが一致するかどうかが判定され、提供者ＩＤと読み出し専用領域に記録されている提供者識別ＩＤとが一致すると判定されたとき、読み出し専用領域に記録されている記録可能回数が読み出され、読み出された記録可能回数に応じて、受信されたデータが、記録媒体の読み書き領域に記録される。従って、例えば、読み出し専用領域に記録されている回数だけ、データを記録することが可能となる。
【図面の簡単な説明】
【図１】本発明を適用した放送システムの第１実施例の構成を示す図である。
【図２】記録媒体１４の構成を説明するための図である。
【図３】図１の受信装置１２の構成例を示すブロック図である。
【図４】図１の受信装置１２の動作を説明するためのフローチャートである。
【図５】本発明を適用した放送システムの第２実施例の構成を示す図である。
【図６】図５の受信装置１１２の構成例を示すブロック図である。
【図７】図５の受信装置１１２の動作を説明するためのフローチャートである。
【図８】本発明を適用した放送システムの第３実施例の構成を示す図である。
【図９】図８の受信装置２１２の構成例を示すブロック図である。
【図１０】図８の受信装置２１２の動作を説明するためのフローチャートである。
【図１１】本発明を適用した放送システムの第４実施例の構成を示す図である。
【図１２】図１１の受信装置３１２の構成例を示すブロック図である。
【図１３】図１１の受信装置３１２の動作を説明するためのフローチャートである。
【図１４】本発明を適用したパソコン（パーソナルコンピュータ）通信システムの一実施例の構成を示す図である。
【図１５】図１４の端末３２の構成例を示すブロック図である。
【図１６】図１４の端末３２の動作を説明するためのフローチャートである。
【図１７】本発明を適用した放送システムの第５実施例の構成を示す図である。
【図１８】記録媒体１１４の構成を説明するための図である。
【図１９】図１７の受信装置４１２の構成例を示すブロック図である。
【図２０】図１７の受信装置４１２の動作を説明するためのフローチャートである。
【符号の説明】
１  ミキサ
２  変調器
３  送信機
４，１１  アンテナ
１２  受信装置
１３  モニタ
１４  記録媒体
７１  テレビチューナ
７３  データデコーダ
７４  データストレージコントローラ
７８  制御回路
７９  比較回路
【図１】
0003624968.tif 000002
【図２】
0003624968.tif 000003
【図３】
0003624968.tif 000004
【図４】
0003624968.tif 000005
【図５】
0003624968.tif 000006
【図６】
0003624968.tif 000007
【図７】
0003624968.tif 000008
【図８】
0003624968.tif 000009
【図９】
0003624968.tif 000010
【図１０】
0003624968.tif 000011
【図１１】
0003624968.tif 000012
【図１２】
0003624968.tif 000013
【図１３】
0003624968.tif 000014
【図１４】
0003624968.tif 000015
【図１５】
0003624968.tif 000016
【図１６】
0003624968.tif 000017
【図１７】
0003624968.tif 000018
【図１８】
0003624968.tif 000019
【図１９】
0003624968.tif 000020
【図２０】
0003624968.tif 000021